(57)【要約】【課題】ヘッドバンドを通すための透孔によって水の流れを乱すことのないスイミングゴーグルの提供。【解決手段】スイミングゴーグル１のフレーム３の外端部分１２にヘッドバンド６の端部３１を通すための前後方向Ｃへ延びる透孔１７が形成される。外端部分１２には、透孔１７を前方から覆う遮蔽部８が設けられる。遮蔽部８には、透孔１７と向かい合う部位に、前方から後方に向かって、スイミングゴーグル１の中心面Ｄに接近するように延びる傾斜面２８が形成される。【選択図】図２
2006149796.tif 000002
【特許請求の範囲】
【請求項１】
スイミングゴーグル着用者の顔面の上下方向と幅方向と前後方向とのそれぞれに対応する垂直な上下方向と水平な幅方向とこれら両方向に直交する前後方向とを有し、鼻ベルトを介して前記幅方向に並ぶ一対のレンズと、前記スイミングゴーグル着用者の頭部に掛け回すヘッドバンドとを備えているスイミングゴーグルであって、
前記レンズのそれぞれには、前記レンズの周縁に沿って環状に延びるフレームが形成されていて、前記フレームが、前記レンズどうしの前記幅方向における間隔を二等分するとともに前記幅方向に直交して前記上下方向と前記前後方向とに広がる中心面寄りにあって前記鼻ベルトにつながる内端部分と前記幅方向において前記内端部分の反対側に位置する外端部分とを有し、前記外端部分には、前記ヘッドバンドの長さ方向における両端部の一方を前記前後方向の後方から掛け回して前記端部の向きを反転させることが可能な掛回部と前記掛回部によって周縁の一部分が形成されていて前記ヘッドバンドを通すことができる透孔とを有し、前記フレームにはさらに、前記透孔から前方に離間して前記透孔を覆う遮蔽部が設けられており、
前記遮蔽部には、前記前方に向かっての前面と、その反対面である後面とが形成されており、前記後面の前記透孔と向かい合う部位には、前記前方から前記後方に向かって前記中心面に接近するように延びる傾斜面が形成されていることを特徴とする前記スイミングゴーグル。
【請求項２】
前記遮蔽部は、前記前面と前記後面との間がほぼ一様な厚さに形成されており、前記傾斜面が前記後面から前記後方へ張り出すように形成されたリブに設けられている請求項１記載のスイミングゴーグル。
【請求項３】
前記遮蔽部は、前記フレームに外側から嵌合する環状部を介して前記フレームに取り付けられている請求項１または２記載のスイミングゴーグル。
【請求項４】
前記レンズそれぞれの前記フレームに嵌合している前記環状部どうしは、前記鼻ベルトとともに一体に形成されている請求項１〜３のいずれかに記載のスイミングゴーグル。
【発明の詳細な説明】
【技術分野】
【０００１】
この発明は、スイミングゴーグル着用者が着用するのに好適なスイミングゴーグルに関する。
【背景技術】
【０００２】
従来、鼻ベルトによって連結された一対のレンズとヘッドバンドとを有し、ヘッドバンドの両端部それぞれが前記レンズそれぞれのフレームに形成された透孔に後方から通された後に、その向きを反転させて所要の長さ位置で固定されるスイミングゴーグルは周知である。例えば、特開２００２−４５４３９号公報（特許文献１）に開示の水中眼鏡は、フレームの外端部分に後方から前方に向かって延びるヘッドバンドの長手方向端部を掛け回し、その端部が後方へ向かうように反転させることのできる掛回部を有しており、水中眼鏡の幅方向における掛回部の内側にはヘッドバンドを通すための前後方向へ延びる透孔が形成されている。着用されたこの水中眼鏡では、フレームの前方に向かって、即ちスイミングゴーグル着用者の顔の前方に向かって透孔が口を開いている。
【０００３】
また、特開２００３−２３６０１８号公報（特許文献２）に開示のゴーグルは、フレームの外端部分に前後方向に延びる透孔を有し、その透孔に通されたヘッドバンドの端部は、フレームとは別体のバンド連結具に形成されている透孔で折曲されて反転し、再びフレームの透孔に通されている。バンド連結具は、フレームの前方からフレームの透孔に進入して、その透孔を塞ぐことができる。
【特許文献１】特開２００２−４５４３９号公報
【特許文献２】特開２００３−２３６０１８号公報
【発明の開示】
【発明が解決しようとする課題】
【０００４】
特許文献１に記載の水中眼鏡では、これを着用したときに、ヘッドバンドを通すための透孔が前方に向かって口を開いており、その透孔近傍の形状が滑らかではないから、スイミングゴーグル着用者の前方から後方に向かう水の流れがその透孔近傍で乱れて前進に対する抵抗が大きくなるように作用することがある。
【０００５】
特許文献２に記載のゴーグルでは、フレームの外端部分の透孔がバンド連結具によって塞がれて、透孔近傍の形状が滑らかになる。しかしながら、このゴーグルでヘッドバンドを取り付けるには、ヘッドバンドの端部をその透孔に通し、さらにバンド連結具に形成された透孔にも通してヘッドバンドの端部の向きを反転させ、しかる後にその端部を再びフレームの透孔に通さなければならない。このように、このゴーグルでは、ヘッドバンドの端部を二つの透孔に通さなければならないという手間を要する。
【０００６】
この発明では、フレームの外端部分にヘッドバンドを通すための前後方向に延びた透孔を有するスイミングゴーグルにおいて、その着用者の前方から後方に向かう水の流れがその透孔近傍で乱されることがないように、かつ、その透孔を介してのヘッドバンドの取り付けに手間のかかることがないように改良を施すことを課題にしている。
【課題を解決するための手段】
【０００７】
前記課題を解決するために、この発明が対象とするのは、スイミングゴーグル着用者の顔面の上下方向と幅方向と前後方向とのそれぞれに対応する垂直な上下方向と水平な幅方向とこれら両方向に直交する前後方向とを有し、鼻ベルトを介して前記幅方向に並ぶ一対のレンズと、前記スイミングゴーグル着用者の頭部に掛け回すヘッドバンドとを備えているスイミングゴーグルである。
【０００８】
かかるスイミングゴーグルにおいて、この発明が特徴とするところは、次のとおりである。前記レンズのそれぞれには、前記レンズの周縁に沿って環状に延びるフレームが形成されていて、前記フレームが、前記レンズどうしの前記幅方向における間隔を二等分するとともに前記幅方向に直交して前記上下方向と前記前後方向とに広がる中心面寄りにあって前記鼻ベルトにつながる内端部分と前記幅方向において前記内端部分の反対側に位置する外端部分とを有し、前記外端部分には、前記ヘッドバンドの長さ方向における両端部の一方を前記前後方向の後方から掛け回して前記端部の向きを反転させることが可能な掛回部と前記掛回部によって周縁の一部分が形成されていて前記ヘッドバンドを通すことができる透孔とを有する。前記フレームにはさらに、前記透孔から前方に離間して前記透孔を覆う遮蔽部が設けられている。前記遮蔽部には、前記前方に向かっての前面と、その反対面である後面とが形成されており、前記後面の前記透孔と向かい合う部位には、前記前方から前記後方に向かって前記中心面に接近するように延びる傾斜面が形成されている。
【０００９】
請求項２に係るこの発明の好ましい実施態様において、前記遮蔽部は、前記前面と前記後面との間がほぼ一様な厚さに形成されており、前記傾斜面が前記後面から前記後方へ張り出すように形成されたリブに設けられている。
【００１０】
請求項３に係るこの発明の好ましい実施態様において、前記遮蔽部は、前記フレームに外側から嵌合する環状部を介して前記フレームに取り付けられている。
【００１１】
請求項４に係るこの発明の好ましい実施態様において、前記レンズそれぞれの前記フレームに嵌合している前記環状部どうしは、前記鼻ベルトとともに一体に形成されている。
【発明の効果】
【００１２】
請求項１に係るこの発明によれば、スイミングゴーグルは、フレームの外端部分に形成されて前後方向へ延びる透孔が、その前方を遮蔽部材によって覆われているので、スイミングゴーグル着用者の前方から後方に向かう水の流れは遮蔽部材の外面に沿って進んでその透孔へ進入することがなく、水の流れが透孔の近傍で乱されて、スイミングゴーグル着用者に対する水の抵抗が増すということがない。また、このスイミングゴーグルでは、フレームの外端部分の透孔に後方からヘッドバンドの端部を通すと、透孔の前方に出たその端部は遮蔽部材に形成された傾斜面に当たって折曲され、スイミングゴーグルの幅方向において遮蔽部材の外へ出るので、その外へ出た端部を摘めば端部の向きを簡単に反転させて再び透孔に通すことができる。
【００１３】
請求項２に係るこの発明の実施態様によれば、遮蔽部にリブを形成し、そのリブに傾斜面を設けることによって、遮蔽部を薄く作ることが可能になる。
【００１４】
請求項３に係るこの発明の実施態様によれば、遮蔽部は、それが有する環状部をフレームに外側から嵌合させることによって、スイミングゴーグルへの取り付けが可能になる。
【００１５】
請求項４に係るこの発明の実施態様によれば、遮蔽部が有する環状部どうしは、鼻ベルトを介して互いにつながるように一体的に形成されるので、スイミングゴーグルの製造工程を簡単にしたり、スイミングゴーグルに対する装飾効果をさまざまに変化させたりすることができる。
【発明を実施するための最良の形態】
【００１６】
添付の図面を参照して、この発明に係るスイミングゴーグルの詳細を説明すると、以下のとおりである。
【００１７】
図１に斜視図で示されたスイミングゴーグル１は、一対のレンズ２と、レンズ２それぞれの縁に沿って形成されたフレーム３と、一対のレンズ２を連結している鼻ベルト４と、ヘッドバンド６とを有する。鼻ベルト４は、レンズ２を囲むように環状に形成されていてフレーム３に固定されている一対の縁飾り部７と一体を成し、縁飾り部７それぞれの側方には、スイミングゴーグル１の後方へ向かって延びる遮蔽部８が形成されている。かようなスイミングゴーグル１は、その着用者の顔面（図示せず）の上下方向と幅方向と前後方向とのそれぞれに対応した垂直な上下方向Ａと、水平な幅方向Ｂと、これら両方向Ａ，Ｂに直交する前後方向Ｃとを有する。また、一対のレンズ２の幅方向Ｂにおける離間寸法を二等分して上下方向Ａと前後方向Ｃとに広がる仮想の面Ｄは、鼻ベルト４の長さを二等分している。
【００１８】
図２は、図１のＰＱＲＳ線矢視図である。レンズ２とフレーム３とは透明な硬質プラスチックで一体的に成形されており、そのフレーム３はほぼ環状を呈してレンズ２から後方へ延び、延びた後縁部分には柔軟弾性材料からなるアイカップ９が取り付けられている。スイミングゴーグル１の幅方向Ｂにおいて、フレーム３は、中心面Ｄの最も近くに位置する内端部分１１と、中心面Ｄから最も遠くに位置する外端部分１２とを有し、内端部分１１に形成された溝部１３には鼻ベルト４の基端部分１６が進入している。フレーム３の外端部分１２には、外端部分１２を前後方向Ｃにおいて貫通する透孔１７が形成されており、その透孔１７における周縁部分の一部がヘッドバンド６を掛け回すための掛回部１８を成している。また、掛回部１８には、幅方向Ｂの外方に向かって突出するストッパ１９が形成されている。ここでいう「外方」とは、幅方向Ｂにおいて中心面Ｄから遠ざかる方向を意味し、中心面Ｄに近づく方向は内方である。鼻ベルト４と縁飾り部７と遮蔽部８とは、軟質ポリエチレンやナイロン、プラスチックエラストマー、天然ゴム等の柔軟な材料、より好ましくは柔軟にして弾性を有する材料によって一体的に形成されて遮蔽部材２１を成している。かような縁飾り部７と遮蔽部８とは、鼻ベルト４と同様にフレーム３の周面に形成された溝部１３に嵌合して、レンズ２に対してその周り方向と前後方向Ｃとに動くことがないように固定されている。透孔１７の前方には、遮蔽部材２１のうちの遮蔽部８があって透孔１７を覆っている。遮蔽部８は、前面２６と後面２７（図３参照）とを有し、好ましい前面２６は水の流れを乱すことがないように滑らかに形成されている。後面２７は、前方から後方に向かって中心面Ｄに接近するように延びる傾斜面２８を有し、その傾斜面２８と掛回部１８との間には、ヘッドバンド６の先端部分３１を通すことが可能なクリアランス２９が形成されている。ヘッドバンド６は、柔軟弾性材料で形成されており、長さ方向へ延びる両先端部分３１には、ストッパ１９を通すための複数の孔部３２が形成されている。
【００１９】
図３は、図２の部分拡大図であるが、ヘッドバンド６は、先端部分３１が透孔１７へ挿入される過程にある。その先端部分３１は、実線で示されているように、スイミングゴーグル１の後方から前方に向かってフレーム３の透孔１７へ挿入されると、遮蔽部８の傾斜面２８に当たって弾性的に折曲され、スイミングゴーグル１の幅方向Ｂの外方へ、即ちフレーム３の外へ出る。その先端部分３１は、それを摘んで仮想線で示されるように後方へ向くように反転させた後に、複数の孔部３２のうちの適当なものにストッパ１９を通してヘッドバンド６の長さを調整する。
【００２０】
図４は、図３のＩＶ−ＩＶ線部分破断矢視図であるが、ストッパ１９を通したヘッドバンド６が仮想線で示されている。遮蔽部材２１における遮蔽部８は、前面２６と後面２７との間の厚さがほぼ一様であって、後面２７が透孔１７と向かい合う部位には、後方へ張り出すようにリブ３６が形成されており、そのリブ３６には傾斜面２８が形成されている。遮蔽部８は、後面２７のほぼ全体が傾斜面２８となるように厚く作ることも可能であるが、図示例の如きリブ構造のものにすれば、遮蔽部８を作るための材料が少なくなるばかりでなく、遮蔽部材２１を射出成形によって製造する場合の成形時間を短縮することも可能になる。
【００２１】
かように形成されている遮蔽部材２１は、遮蔽部８がその後方に形成されている透孔１７とその近傍とを覆うことによって、遊泳中に前方から後方に向かう水の流れが透孔１７とその近傍とにおいて乱れてスイミングゴーグル着用者が前進しようとするときの抵抗が増すことを防止できる。しかし、透孔１７を覆う遮蔽部８は、その後面２７に傾斜面２８を有するから、ヘッドバンド６の先端部分３１を透孔１７へ通す作業は、遮蔽部８の存在によって難しくなるということがない。また、遮蔽部材２１のうちの縁飾り部７は、遮蔽部８をフレーム３に取り付けることを可能にするばかりでなく、色や形状を適宜選択するならば、鼻ベルト３や遮蔽部８と協働してレンズ２の周囲やスイミングゴーグル１の全体に対する装飾効果をさまざまに変化させることができる。鼻ベルト４と縁飾り７と遮蔽部８とを一体にして遮蔽部材２１として射出成形するならば、これら各部を個々に成形する場合に比べて、スイミングゴーグル１の製造工程を簡単にすることができる。
【００２２】
この発明において、図示例で一体的に示されているレンズ２とフレーム３とは、別体のものに代えることができる。また、一体に形成されている鼻ベルト４と縁飾り部７とを別体のものにして、鼻ベルト４を単体の部材として作り、その部材をフレーム３のそれぞれに取り付けることができる。遮蔽部８は、遮蔽部材２１の一部分としてではなく、フレーム３の外端部分１２にこの部分１２と一体を成すように形成することもできる。ヘッドバンド６は、その孔部３２にストッパ１９を通して長さを調整してあるが、そのように作用するストッパ１９に代えて適宜形状のバックルをヘッドバンド６に対して使用することもできる。
【産業上の利用可能性】
【００２３】
この発明によれば、ヘッドバンドを通すことが容易で、しかもヘッドバンドを通すための透孔によって水の流れを乱すことのないスイミングゴーグルの製造が可能になる。
【図面の簡単な説明】
【００２４】
【図１】スイミングゴーグルの斜視図。
【図２】図１のＰＱＲＳ線矢視図。
【図３】図２の部分拡大図。
【図４】図３のＩＶ−ＩＶ線部分破断矢視図。
【符号の説明】
【００２５】
１    スイミングゴーグル
２    レンズ
３    フレーム
４    鼻ベルト
６    ヘッドバンド
７    環状部（縁飾り部）
８    遮蔽部
１１    内端部分
１２    外端部分
１７    透孔
１８    掛回部
２６    前面
２７    後面
２８    傾斜面
３１    端部
３６    リブ
Ａ    上下方向
Ｂ    幅方向
Ｃ    前後方向
Ｄ    中心面
【図１】
2006149796.tif 000003
【図２】
2006149796.tif 000004
【図３】
2006149796.tif 000005
【図４】
2006149796.tif 000006